(57)【特許請求の範囲】
【請求項１】
表示器で表示スケールを切り換えて表示する車両用表示装置において、前記表示器をドットマトリクス型の表示器とし、前記表示器で表示する描画用データは、１つの線状のバーグラフ画像と、前記バーグラフ画像を透過するセグメント状の透過部と前記バーグラフ画像を透過しない部分とを備えるとともに前記透過部の数が異なる複数の背景画像とを少なくとも備え、前記描画用データを格納する描画用データ記憶部と、車両情報に基づいて前記描画用データ記憶部から読み出した前記バーグラフ画像を変位させ、前記描画用データ記憶部から前記複数の背景画像から一つの背景画像を選択して読みだし、読み出した前記背景画像の前記透過部から前記変位させた前記バーグラフ画像を透過させて合成した描画データを生成し前記表示器に出力する制御手段とを備えたことを特徴とする車両用表示装置。
【請求項２】
前記制御手段は、前記車両情報に基づいて前記バーグラフ画像を変位させ、前記バーグラフ画像の端部が任意の前記透過部に位置する場合は、前記バーグラフ画像の端部が前記任意の前記透過部と前記任意の前記透過部の下位側に隣接する透過部との間となるように前記描画データを生成することを特徴とする請求項１に記載の車両用表示装置。
【請求項３】
前記制御手段は、前記車両情報に基づいて前記バーグラフ画像を変位させ、前記バーグラフ画像の端部が任意の前記透過部に位置する場合は、前記バーグラフ画像の端部が前記任意の前記透過部と前記任意の前記透過部の上位側に隣接する透過部との間となるように前記描画データを生成することを特徴とする請求項１に記載の車両用表示装置。
【発明の詳細な説明】
【技術分野】
【０００１】
本発明は、車両用表示装置に関し、特に、表示スケールを切り換えて表示する車両用表示装置に関する。
【背景技術】
【０００２】
従来、表示スケールを切り換えて表示する車両用表示装置は、バーグラフ表示を行う液晶表示器を備え、この液晶表示器において、目盛間隔を大小二通りに切り換えられるものがあった（例えば、特許文献１）。
【先行技術文献】
【特許文献】
【０００３】
【特許文献１】特開昭５８−１９０７６５号公報
【発明の概要】
【発明が解決しようとする課題】
【０００４】
しかし、従来の車両用表示装置は、前記液晶表示器が、ｎ個のセグメントによってバーグラフ表示を行うために、表示スケールを切り換えて表示する場合に、２倍、４倍、あるいは、１／２倍など、２の倍数による制約を受けるため表示器による制約のない表示スケールの切り換えができないという問題点があった。
【０００５】
そこで、本発明は前述した問題点に着目し、表示器による制約のない表示スケールの切り換えが可能な車両用表示装置を提供することを目的とする。
【課題を解決するための手段】
【０００６】
本発明の車両用表示装置は、表示器で表示スケールを切り換えて表示する車両用表示装置において、前記表示器をドットマトリクス型の表示器とし、前記表示器で表示する描画用データは、１つの線状のバーグラフ画像と、前記バーグラフ画像を透過するセグメント状の透過部と前記バーグラフ画像を透過しない部分とを備えるとともに前記透過部の数が異なる複数の背景画像とを少なくとも備え、前記描画用データを格納する描画用データ記憶部と、車両情報に基づいて前記描画用データ記憶部から読み出した前記バーグラフ画像を変位させ、前記描画用データ記憶部から前記複数の背景画像から一つの背景画像を選択して読みだし、読み出した前記背景画像の前記透過部から前記変位させた前記バーグラフ画像を透過させて合成した描画データを生成し前記表示器に出力する制御手段とを備えたものである。
【０００８】
また、前記制御手段は、前記車両情報に基づいて前記バーグラフ画像を変位させ、前記バーグラフ画像の端部が任意の前記透過部に位置する場合は、前記バーグラフ画像の端部が前記任意の前記透過部と前記任意の前記透過部の下位側に隣接する透過部との間となるように前記描画データを生成するものである。
【０００９】
また、前記制御手段は、前記車両情報に基づいて前記バーグラフ画像を変位させ、前記バーグラフ画像の端部が任意の前記透過部に位置する場合は、前記バーグラフ画像の端部が前記任意の前記透過部と前記任意の前記透過部の上位側に隣接する透過部との間となるように前記描画データを生成するものである。
【発明の効果】
【００１０】
本発明は、表示器による制約のない表示スケールの切り換えが可能な車両用表示装置を提供することができる。
【図面の簡単な説明】
【００１１】
【図１】本発明の第１実施形態の車両用表示装置の構成図。
【図２】同実施形態の表示内容を示す説明図。
【図３】同実施形態の背景画像を示す図。
【図４】同実施形態のバーグラフ画像を示す図。
【図５】同実施形態の動作を示す説明図。
【図６】同実施形態の他の背景画像を示す図。
【図７】同実施形態のさらに他の背景画像を示す図。
【発明を実施するための形態】
【００１２】
以下、添付図面を用いて本発明の第１実施形態を説明する。
【００１３】
本発明の車両用表示装置１は、車両の予め装備されている計器とは別に、前記車両に装着する、所謂、後付メータと呼ばれるものである。本実施形態では、車両の走行速度と車両のエンジンの回転数を表示している。
【００１４】
車両用表示装置１は、制御手段２と、表示器４と、操作部５と、を備えている。なお、６は、センサであり、７は、センサ６の信号を受ける制御部である。
【００１５】
制御手段２は、マイクロコンピュータ（以下、マイコンと記す）２１と、描画用データ記憶部２２と、グラフィックコントローラ２３と、がそれぞれバス接続されて構成される。
【００１６】
マイコン２１は、エンジン回転数や車両の走行速度などの車両情報の検出信号をセンサ６から制御部７を介して入力し、この各種車両情報に基づいて表示用の制御信号を演算処理するＣＰＵと、このＣＰＵにおける演算処理結果等を一時的に格納する読出し及び書換え可能なＲＡＭと、制御プログラム、制御データを格納したＲＯＭと、描画用データ記憶部２２やグラフィックコントローラ２３などとデータをやり取りするための入出力インターフェイスと、がバスを用いて接続されている。なお、マイコン２１は、センサ６から直接、検出信号を入力するものであってもよい。
【００１７】
また、マイコン２１は、各車両情報に基づく描画データの生成処理を促す制御信号をグラフィックコントローラ２３へ出力する。
【００１８】
描画用データ記憶部２２は、例えば、フラッシュメモリやＲＯＭなどの不揮発性記憶媒体を適用することができ、描画データを生成するための部品情報が、描画用データとして格納している。描画用データは、例えば、速度表示用の文字画像や、図４で示すバーグラフ画像８１や、図３、図６及び図７で示すように、表示スケールが異なる複数の背景画像８２〜８４を備えている。各背景画像８２〜８４は、エンジン回転を表示するものであり、図３は、表示スケールが６０００回転の背景画像８２で、図６は、表示スケールが３０００回転の背景画像８３で、図７は、表示スケールが１００００回転までの背景画像８４である。各背景画像８２〜８４は、バーグラフ画像８１を透過する複数のセグメント状の透過部８２ａ〜８４ａを備えている。各透過部８２ａ〜８４ａは、ほぼ矩形で、１つがエンジン回転の１００回転に相当するものである。背景画像８２は、透過部８２ａを６０個備えており、背景画像８３は、透過部８３ａを３０個備えており、背景画像８４は、透過部８４ａを１００個備えている。なお、本実施形態では、各背景画像８２〜８４は、目盛と文字の画像も備えている。描画用データは、表示位置などを示す属性データを含む情報が用いられる。なお、図４中の十字マークＣは、バーグラフ画像８１の回転中心を表している。
【００１９】
グラフィックコントローラ２３は、マイコン２１からの制御信号に基づいて、描画用データ記憶部２２に格納される描画用データ８１、８２〜８４を選択して読み出し、描画データとして車両情報毎にグラフィックコントローラ２３に設けた記憶部に格納するものである。また、グラフィックコントローラ２３は、マイコン２１からの制御信号に基づいて、前記記憶部に格納された各描画用データ８１、８２〜８４を合成して描画データとして表示器４へ出力するものである。なお、グラフィックコントローラ２３は、マイコン２１と一体に構成されるものであってもよい。
【００２０】
グラフィックコントローラ２３に設けた前記記憶部は、例えば、ＳＤ−ＲＡＭやＶ−ＲＡＭなどの記憶媒体を適用でき、グラフィックコントローラ２３の制御によって、描画用データを一時的に格納することができる。
【００２１】
表示器４は、ドットマトリクス型の表示器であり、例えば、ＴＦＴ型液晶表示素子を用いることができる。また、表示器４は、図示しない液晶ドライバの駆動によって、制御手段２のグラフィックコントローラ２３からの描画データに基づく所望の画像を表示することができる。
【００２２】
表示器４は、単一の表示素子が用いられており、図２に示すように、速度表示部４１で速度を、エンジン回転表示部３２でエンジン回転を表示するものである。速度表示部４１は、文字による表示で、図２中では、０ｋｍ／ｈを示している。エンジン回転表示部４２は、表示スケールが、６０００回転までの背景画像８２による表示で、図２中では、３４００ｒｐｍを示している。描画データは、所定の画面更新周期（例えば、１６．７ｍ秒）毎に、出力され、このタイミングに基づいて表示器４の画面が更新される。
【００２３】
操作部５は、表示器４の前面に設けられる透明なタッチパネルであり、車両用表示装置１を操作するものである。表示器４には、図示しないスイッチ画像などが表示されており、前記スイッチ画像などに触れることによって、操作部５で検知され、車両用表示装置１を操作する。例えば、本実施形態では、車両用表示装置１を取り付ける車両によって、ふさわしいエンジン回転の表示スケールを選択する際に、操作部５にて選択操作する。
【００２４】
センサ６は、本実施形態では、図示しないエンジンのクランクシャフトの回転数を検出するものである。なお、本実施形態では、センサ６は、１つしか図示していないが、本来は、車両の状態を検出するセンサとして、例えば、車速を検出する速度センサなど、複数のセンサを備えている。
【００２５】
制御部７は、マイコンなどからなり、センサ６を含む他の複数のセンサの信号を受けて、制御手段２にセンサ６からの信号を送信するものである。
【００２６】
以上の構成によって、車両情報を表示器４に表示出力する構成となる。
【００２７】
次に、エンジン回転の表示を例にとって、制御手段２の制御方法について説明する。
【００２８】
制御手段２のマイコン２１は、車両情報の一つであるエンジン回転の検出信号を、センサ６から制御部７を介して受け取り、描画用データ記憶部２２に記憶したバーグラフ画像８１をセンサ６からの信号に基づいて変位（回転）させる。なお、本実施形態では、センサ６からの信号に基づいて、バーグラフ画像８１を回転させる場合に、補正を加えて回転させている。以下、補正について説明する。この補正は、図５で示すように、センサ６からの信号が、３４５０回転の場合、センサ６からの検出信号に基づいて、バーグラフ画像８１を回転させると、バーグラフ画像８１の端部の位置は、Ｐ１となる。しかし、バーグラフ画像８１の端部がＰ１の位置では、３５００回転に相当する透過部８２ａの中程に位置することとなり、セグメントを構成する透過部８２ａの一部が欠けて見えて見栄えが悪い。そこで、透過部８２ａの一部が欠けて見えないように、バーグラフ画像８１の端部が、透過部８２ａ１と、この透過部８２ａ１の下位側に隣接する透過部８２ａ２との間となるように描画データを生成する。すなわち、センサ６からの信号が、３４５０回転の場合、１００の単位未満の回転数は、切り下げて３４００回転とし、バーグラフ画像８１の端部が、Ｐ２の位置となるように、バーグラフ画像８１を回転させる。
【００２９】
なお、１００の単位未満の回転数を、四捨五入、あるいは、切り上げ処理によって、透過部８２ａ１と、この透過部８２ａ１の上位側に隣接する透過部８２ａ３との間となるように描画データを生成してもよい。
【００３０】
マイコン２１は、この回転したバーグラフ画像８１をグラフィックコントローラ２３の前記記憶部に送る。
【００３１】
グラフィックコントローラ２３は、予め選択され前記記憶部にて記憶していた背景画像８２と、バーグラフ画像８１とを重ね合わせて、背景画像８２の透過部８２ａからバーグラフ画像８１が透過する描画データを生成し、グラフィックコントローラ２３から表示器４に出力させるようにしている。
【００３２】
なお、本実施形態では、バーグラフ画像８１は、円弧状であったが、本実施形態に限定されるものではなく、直線状であっても良い。この場合、バーグラフ画像の変位も直線方向に変位するものである。
【００３３】
以上のように構成したことによって、表示器による制約のない表示スケールの切り換えが可能な車両用表示装置を提供することができる。
【００３４】
また、バーグラフ画像８１と、バーグラフ画像８１を透過するセグメント状の透過部８２ａ〜８４ａを備えるとともに表示スケール毎に複数備えた背景画像８２〜８４とを備えることによって、バーグラフ画像をセグメント毎、すなわち、６０００回転で、１つのセグメントが１００回転を示す場合、６０個分のセグメントとして描画用データを記憶する場合に比べて、記憶容量を削減することができる。特に、本実施形態のように、複数の表示スケールを表示する場合は、複数の表示スケール毎にセグメントの描画用データを記憶する記憶容量が必要であるが、本実施形態では、１つのバーグラフ画像８１のみで良いため、記憶容量の増加を抑えることができ、記憶容量の少ない記憶部を採用することができ、コストの削減を図ることができる。また、描画用データを読み込む場合も、セグメント毎にデータを読み込む必要がなく、制御手段２での処理も早いという効果がある。
【産業上の利用可能性】
【００３５】
本発明は、表示スケールを切り換えて表示する車両用表示装置に利用可能である。
【符号の説明】
【００３６】
１      車両用表示装置
２      制御手段
２１      マイクロコンピュータ
２２      描画用データ記憶部
２３      グラフィックコントローラ
４      表示器
８１      バーグラフ画像
８２、８３、８４  背景画像
８２ａ、８２ａ１、８２ａ２、８２ａ３、８３ａ、８４ａ  透過部
【図１】
0005622023.tif 000002
【図２】
0005622023.tif 000003
【図３】
0005622023.tif 000004
【図４】
0005622023.tif 000005
【図５】
0005622023.tif 000006
【図６】
0005622023.tif 000007
【図７】
0005622023.tif 000008